(57)【要約】【目的】  １枚のＩＣカードにて同時に複数の番組のスクランブル解除を行うことができるスクランブル解除装置を提供する。【構成】  スクランブル解除装置５０は第１ＴＳ入力系統１と第２ＴＳ入力系統２を備える。各入力系統１，２は、ＴＳの信号を一定時間遅らせるＦＩＦＯバッファ１１，２１とデスクランブラ１２，２２とＥＣＭ抽出部１３，２３とから成る。マイクロコンピュータ３は、各ＥＣＭ抽出部１３，２３にて抜き取られたＥＣＭ−ＴＳ１，ＥＣＭ−ＴＳ２を受け取る。そして、各ＥＣＭを順次にＩＣカード４に供給し（ＩＣカード４の空き時間を利用して交互に供給し）、ＩＣカード４から順次にデスクランブルキー（解除鍵）を受け取り、それぞれのデスクランブラ１２，２２に与える。【選択図】        図１
2005080142.tif 000002
【特許請求の範囲】
【請求項１】
スクランブル処理されたトランスポートストリームからＥＣＭを分離し、このＥＣＭを情報処理部がＩＣカードに入力し、ＩＣカードから与えられる鍵情報を前記情報処理部がデスクランブラに入力してトランスポートストリームのデスクランブルを行わせるスクランブル解除装置において、
トランスポートストリームの信号を一定時間遅らせるＦＩＦＯバッファ及びデスクランブラを有するトランスポートストリーム入力系統を複数備え、前記情報処理部は、各トランスポートストリームから分離された各ＥＣＭを一旦メモリに保存し、一つのＥＣＭについて前記ＩＣカードから鍵情報を得た以降の当該ＩＣカードの空き時間に他のＥＣＭをＩＣカードに入力し、当該他のＥＣＭにおける鍵情報をＩＣカードから得てメモリに保存して適宜デスクランブラに入力するように構成されたことを特徴とするスクランブル解除装置。
【請求項２】
請求項１に記載のスクランブル解除装置において、各トランスポートストリームの符号データを復号する復号手段がそれぞれ設けられていることを特徴とするスクランブル解除装置。
【請求項３】
請求項１に記載のスクランブル解除装置において、少なくとも一つの入力系統については符号データを復号する復号手段が設けられており、他の入力系統における少なくとも一つの入力系統についてはデスクランブルされたトランスポートストリームを記録する記録部が設けられる構成としたことを特徴とするスクランブル解除装置。
【発明の詳細な説明】
【技術分野】
【０００１】
この発明は、ディジタル放送受信装置などに設けられるスクランブル解除装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。そして、このようなディジタル放送において有料放送にはスクランブルがかけられており、受信装置側に設けられたＩＣカード（ディジタルＢＳ放送であればＢ−ＣＡＳカード）に記録された受信契約情報に基づいてスクランブル解除鍵を生成し、この解除鍵を受信装置のデスクランブラに供給するようにしている（特許文献１参照）。このような限定受信システムはＣＡシステム（ＣＡＳ）と呼ばれている。
【特許文献１】特開平９−４６６７２号公報
【発明の開示】
【発明が解決しようとする課題】
【０００３】
従来のＣＡシステムにおいては、１枚のＩＣカードにて同時に複数の番組のスクランブル解除を行うことはできない。従って、１枚のＩＣカードで複数の有料チャンネルを契約していても、１つの有料チャンネルを視聴しつつ、別の有料チャンネルをＶＴＲ等に録画するなど、複数の有料チャンネルの同時提供を行うことは不可能であった。
【０００４】
この発明は、上記の事情に鑑み、１枚のＩＣカードにて同時に複数の番組のスクランブル解除を行うことができるスクランブル解除装置を提供することを目的としている。
【課題を解決するための手段】
【０００５】
この発明のスクランブル解除装置は、上記課題を解決するために、スクランブル処理されたトランスポートストリームからＥＣＭを分離し、このＥＣＭを情報処理部がＩＣカードに入力し、ＩＣカードから与えられる鍵情報を前記情報処理部がデスクランブラに入力してトランスポートストリームのデスクランブルを行わせるスクランブル解除装置において、トランスポートストリームの信号を一定時間遅らせるＦＩＦＯバッファ及びデスクランブラを有するトランスポートストリーム入力系統を複数備え、前記情報処理部は、各トランスポートストリームから分離された各ＥＣＭを一旦メモリに保存し、一つのＥＣＭについて前記ＩＣカードから鍵情報を得た以降の当該ＩＣカードの空き時間に他のＥＣＭをＩＣカードに入力し、当該他のＥＣＭにおける鍵情報をＩＣカードから得てメモリに保存して適宜デスクランブラに入力するように構成されたことを特徴とする。
【０００６】
上記の構成であれば、ＩＣカードの空き時間を利用して複数のトランスポートストリームのＥＣＭを順次与えてそれぞれ鍵情報を取得できることになり、１枚のＩＣカードで同時に複数番組のデスクランブルが可能となる。
【０００７】
上記構成のスクランブル解除装置において、各トランスポートストリームの符号データを復号する復号手段がそれぞれ設けられていてもよい。また、少なくとも一つの入力系統については符号データを復号する復号手段が設けられており、他の入力系統における少なくとも一つの入力系統についてはデスクランブルされたトランスポートストリームを記録する記録部が設けられる構成としてもよい。
【発明の効果】
【０００８】
以上説明したように、この発明であれば、複数のチャンネルを契約していれば１枚のＩＣカードで同時に複数番組のデスクランブルが行えて、ユーザに同時に複数の番組を提供できるという効果を奏する。
【発明を実施するための最良の形態】
【０００９】
図１はこの発明の実施形態のスクランブル解除装置５０を示したブロック図であり、図２はデスクランブル処理におけるタイムチャートである。
【００１０】
この実施形態のスクランブル解除装置５０は第１トランスポートストリーム入力系統１及び第２トランスポートストリーム入力系統２を備える（以下、トランスポートストリームをＴＳと略記することがある）。第１ＴＳ入力系統１は、ＴＳの信号を一定時間遅らせるＦＩＦＯバッファ１１とデスクランブラ１２とＥＣＭ抽出部１３とから成り、第２ＴＳ入力系統２は、ＴＳの信号を一定時間遅らせるＦＩＦＯバッファ２１とデスクランブラ２２とＥＣＭ抽出部２３とから成る。各ＴＳ入力系統に二つのチューナからそれぞれＴＳが供給される構成や一つはチューナから他の一つは外部記録装置からＩＥＥＥ１３９４インターフェイスを介して入力する構成などが想定される。各ＥＣＭ抽出部１３，２３は、各トランスポートストリーム入力からＥＣＭ（ＥＣＭ−ＴＳ１，ＥＣＭ−ＴＳ２：ｅｎｔｉｔｌｅｍｅｎｔ  ｃｏｎｔｒｏｌ  ｍｅｓｓａｇｅ）を抜き取り（デマルチプレクスし）、マイクロコンピュータ３に供給する。また、各ＦＩＦＯバッファ１１，２１は例えば１．０ｓｅｃ分のトランスポートストリームを保持するように構成される。デスクランブラ１２，２２には図示しないＡＶデコーダ（例えば、ＭＰＥＧビデオデコーダ，ＭＰＥＧオーディデコーダ）が接続され、映像・音声が復号再生される。また、或る系統において例えばハードディスク等に録画するのであれば、当該系統においてはＡＶデコーダを介さないで（復号再生処理を行わないで）パーシャルトランスポートストリームをハードディスク等にそのまま記録することもできる。
【００１１】
マイクロコンピュータ３は、各ＥＣＭ抽出部１３，２３にて抜き取られたＥＣＭ−ＴＳ１，ＥＣＭ−ＴＳ２を受け取る。そして、各ＥＣＭを順次にＩＣカード４（例えばＢ−ＣＡＳカード）に供給し、ＩＣカード４から順次にデスクランブルキー（解除鍵）を受け取り、それぞれのデスクランブラ１２，２２に与える。
【００１２】
以下、マイクロコンピュータ３の具体的動作等を図２のタイムチャートに基づいて説明していく。
【００１３】
時刻０ｓｅｃ〜２ｓｅｃの期間にＴＳ１に多重されているＥＣＭはＥＣＭ１−ＴＳ１であると想定する。このＥＣＭから得られる偶スクランブルキーはＥＶＥＮ１−ＴＳ１であり、奇スクランブルキーはＯＤＤ１−ＴＳ１である。そして、このＥＣＭによって更新されるスクランブルキーは奇スクランブルキー（ＯＤＤ１−ＴＳ１）である。ＯＤＤ１−ＴＳ１は時刻１．１ｓｅｃ〜３．１ｓｅｃ期間のＴＳ１のスクランブルキーとして使用される。ＴＳ１に多重されているＥＣＭは以降２ｓｅｃ間隔で更新され、ＥＣＭの更新によって更新されるスクランブルキーは奇スクランブルキーか偶スクランブルキーのどちらか１つである。
【００１４】
ＴＳ２についても同様に、例えば時刻０．２５ｓｅｃ〜２．２５ｓｅｃの期間にＴＳ２に多重されているＥＣＭはＥＣＭ１−ＴＳ２である。このＥＣＭから得られる偶スクランブルキーはＥＶＥＮ１−ＴＳ２であり、奇スクランブルキーはＯＤＤ１−ＴＳ２である。そして、このＥＣＭによって更新されるスクランブルキーは奇スクランブルキー（ＯＤＤ１−ＴＳ２）である。ＯＤＤ１−ＴＳ２は時刻１．３５ｓｅｃ〜３．３５ｓｅｃ期間のＴＳ２のスクランブルキーとして使用される。ＴＳ２に多重されているＥＣＭは以降２ｓｅｃ間隔で更新され、ＥＣＭの更新によって更新されるスクランブルキーは奇スクランブルキーか偶スクランブルキーのどちらか１つである。
【００１５】
なお、ＴＳパケットには偶スクランブルキーＥＶＥＮ或いは奇スクランブルキーＯＤＤのどちらを使用するかを指定する情報が存在する。
【００１６】
マイクロコンピュータ３は、時刻０ｓｅｃにＥＣＭ抽出部１３からＥＣＭ１−ＴＳ１を受け取る。時刻０ｓｅｃではＩＣカード４は何も動作していないので、ＥＣＭ１−ＴＳ１をすぐにＩＣカード４に供給し、スクランブルキーを要求する。そして、マイクロコンピュータ３は、時刻０．２５ｓｅｃにＥＣＭ抽出部２３からＥＭＣ−ＴＳ２を受け取るが、ＩＣカード４はＥＣＭ１−ＴＳ１の処理中であるので（すなわち、ＥＣＭ１−ＴＳ１に対するスクランブルキーをマイクロコンピュータ３は未だ受け取っていないので）、ＥＣＭ１−ＴＳ２をＩＣカード４に供給することを保留する（メモリに保持しておく）。マイクロコンピュータ３は、例えば時刻０．９ｓｅｃの時点でＩＣカード４からＥＣＭ１−ＴＳ１を処理した結果である、奇スクランブルキーＯＤＤ−ＴＳ１と偶スクランブルキーＥＶＥＮ１−ＴＳ１を得る。このキーを取得したことでマイクロコンピュータ３はＩＣカード４で行っている処理がなくなったと判断することができ、保留していたＥＣＭ１−ＴＳ２を時刻１．０ｓｅｃの時点でＩＣカード４に送り、結果を時刻１．９ｓｅｃに得る。以降、マイクロコンピュータ３は同様にＩＣカード４の処理の完了後すぐに未処理ＥＣＭをＩＣカード４に送信する。
【００１７】
ＦＩＦＯバッファ１１にて１ｓｅｃ遅らされたＴＳ１は時刻２．１ｓｅｃでＯＤＤ１−ＴＳ１を必要とすることになり、ＦＩＦＯバッファ２１にて１ｓｅｃ遅らされたＴＳ２は時刻２．３５ｓｅｃでＯＤＤ１−ＴＳ２を必要とすることになるが、この時刻までにはいずれのスクランブルキーも取得済みであるため、２つのＴＳを同時にデスクランブルすることができる。
【図面の簡単な説明】
【００１８】
【図１】この発明の実施形態のスクランブル解除装置を示したブロック図である。
【図２】この実施形態のデスクランブラ処理のタイミングチャートである。
【符号の説明】
【００１９】
１    第１ＴＳ入力系統
１１  ＦＩＦＯバッファ
１２  デスクランブラ
１３  ＥＣＭ抽出部
２    第２ＴＳ入力系統
２１  ＦＩＦＯバッファ
２２  デスクランブラ
２３  ＥＣＭ抽出部
３    マイクロコンピュータ
４    ＩＣカード
５０  スクランブル解除装置
【図１】
2005080142.tif 000003
【図２】
2005080142.tif 000004